(57)【要約】【課題】縁線断線時の早期送電再開を図ることができる縁線断線復旧工法および仮復旧用バイパス工具を提供する。【解決手段】第１および第２の高圧配電線Ｌ1，Ｌ2を接続する縁線ＥＬの第１の高圧配電線Ｌ1側が断線した際の復旧作業を行うための縁線断線復旧工法であって、第１の被覆貫通クランプ１１1を断線した縁線ＥＬに取り付けるとともに、第２の被覆貫通クランプ１１2を第２の高圧配電線Ｌ2に取り付けて、第１および第２の被覆貫通クランプ１１1，１１2が両端部にそれぞれ取り付けられたバイパス線１２を介して断線した縁線ＥＬと第２の高圧配電線Ｌ2とを接続して仮復旧作業を行う。【選択図】図１
2017225281.tif 000002
【特許請求の範囲】
【請求項１】
第１および第２の高圧配電線（Ｌ1，Ｌ2）を接続する縁線（ＥＬ）の該第１の高圧配電線側が断線した際の復旧作業を行うための縁線断線復旧工法であって、
第１の被覆貫通クランプ（１１1）を前記断線した縁線に取り付けるとともに、第２の被覆貫通クランプ（１１2）を前記第２の高圧配電線に取り付けて、該第１および第２の被覆貫通クランプが両端部にそれぞれ取り付けられたバイパス線（１２）を介して該断線した縁線と該第２の高圧配電線とを接続して仮復旧作業を行う、
ことを特徴とする、縁線断線復旧工法。
【請求項２】
本復旧作業を行う際に、前記第１および第２の被覆貫通クランプを前記断線した縁線および前記第２の高圧配電線からそれぞれ取り外し、ジャンパースリーブ（ＪＳ）を介して他のバイパス線（２１）の一端部を該断線した縁線と接続するとともに、電線分岐用圧縮スリーブ（ＨＳ）を介して該他のバイパス線の他端部を該第２の高圧配電線に取り付けることを特徴とする、請求項１記載の縁線断線復旧工法。
【請求項３】
前記本復旧作業において、前記断線した縁線の前記第１の被覆貫通クランプによる接続痕部分の被覆を剥ぎ取って前記ジャンパースリーブを取り付けるとともに、前記第２の高圧配電線の前記第２の被覆貫通クランプによる接続痕部分の被覆を剥ぎ取って前記電線分岐用圧縮スリーブを取り付けて、前記他のバイパス線を介して該断線した縁線と該第２の高圧配電線とを接続することを特徴とする、請求項２記載の縁線断線復旧工法。
【請求項４】
請求項１乃至３いずれかに記載の縁線断線復旧工法に用いるための仮復旧用バイパス工具（１０）であって、
バイパス線（１２）と、
該バイパス線の両端部にそれぞれ取り付けられた第１および第２の被覆貫通クランプ（１１1，１１2）と、
を具備することを特徴とする、仮復旧用バイパス工具。
【発明の詳細な説明】
【技術分野】
【０００１】
本発明は、２本の高圧配電線を接続する縁線が断線した際の復旧作業を行うのに好適な縁線断線復旧工法とそれに用いるのに好適な仮復旧用バイパス工具とに関する。
【背景技術】
【０００２】
従来、電力会社では、２本の高圧配電線を接続する縁線が強風や経年劣化等によって断線した際に復旧作業を行うときには、原則として間接活線作業によって送電区間での断線個所の改修を行っている。
【０００３】
例えば、図２（ａ）に示すように第１および第２の高圧配電線Ｌ1，Ｌ2を接続する２本の縁線ＥＬのうち１本の縁線ＥＬの電柱の腕金に取り付けられた碍子Ｉよりも第１の高圧配電線Ｌ1側が強風や経年劣化等によって断線すると、作業員は以下のようにして復旧作業を行っている。
【０００４】
作業員は、復旧作業中の地絡事故や短絡事故を防止するために、断線箇所近傍の第１および第２の高圧配電線Ｌ1，Ｌ2や腕金等に多数の防具を取り付ける。
【０００５】
続いて、作業員は、断線した縁線ＥＬの碍子Ｉよりも第２の高圧配電線Ｌ2側の一端は碍子Ｉに固定されたままとなっているため、第１の高圧配電線Ｌ1と断線した縁線ＥＬの第２の高圧配電線Ｌ2側とを直接に接続できないので、バイパス線ＢＬを取り付ける長さを考慮して、図２（ｂ）に×印で示すように断線した縁線ＥＬの第１および第２の高圧配電線Ｌ1，Ｌ2側の余分な部分を切断する。
【０００６】
続いて、作業員は、断線した縁線ＥＬの２つの切断個所の被覆を専用工具で剥ぎ取り、バイパス線ＢＬの両端部に取り付けられたジャンパースリーブＪＳに断線した縁線ＥＬの第１および第２の高圧配電線Ｌ1，Ｌ2の被覆が剥ぎ取られた先端部を挿入したのち、油圧発生装置を用いてジャンパースリーブＪＳを圧縮して、図２（ｃ）に示すように断線した縁線ＥＬの第１の高圧配電線Ｌ1側と第２の高圧配電線Ｌ2側とをバイパス線ＢＬを介して接続する。
【０００７】
続いて、作業員は、第１および第２の高圧配電線Ｌ1，Ｌ2や腕金等に取り付けておいた多数の防具を撤去して、作業を終了する。
【０００８】
なお、本出願人は、下記の特許文献１において、絶縁操作棒１１１の上端および下端に被覆貫通クランプ１１４およびトルクリミッタ１１２がそれぞれ取り付けられた間接活線工具１１０（図３参照）を支持する間接活線工具支持具に、絶縁操作棒１１１の限界つば１１１ａよりも下方に互いに離隔して取り付けられた２つの取付部をそれぞれ有する２つの接続具と、２つの接続具を介して絶縁操作棒１１１に並列に連結された支持棒とを備えさせることにより、トルクリミッタ１１２のハンドル１１２ｂを回すと絶縁操作棒１１１が回動し、被覆貫通クランプ１１４の締付部１１４ｂが絶縁操作棒１１１の回動運動に伴って上下運動を行って、締付部１１４ｂの先端に設けられた開口部１１４ａが開閉され、高圧配電線Ｌを把持または解放するようにした間接活線工具支持具を提案している。
【先行技術文献】
【特許文献】
【０００９】
【特許文献１】特開２０１３−８５３６１号公報
【特許文献２】特開２０１１−２５０５９９号公報
【発明の概要】
【発明が解決しようとする課題】
【００１０】
しかしながら、上述した従来の縁線断線復旧工法では以下に示すような問題があった。
（１）間接活線作業による復旧作業の難易度が高いため、作業者の技術および技能レベルによって作業時間が大きく左右される結果、送電再開までの時間に多大な影響を及ぼす。
（２）縁線ＥＬが断線する事例は台風や局地的な強風時には多発しており、作業員の人数は限られているため、１つの断線現場（停電現場）での復旧作業を終えるまでに時間を要すると、次の断線現場へ移動するのに時間を要するので、早期送電再開を求めているお客さまのニーズに適切に応えることが難しい。
（３）同様の手順で仮復旧作業を行う場合でも、作業者のレベル、作業時間や復旧機材に何があるか等の様々な条件を考慮しなくてはならない。
（４）仮復旧作業や本復旧作業の方法にもよるが、必要な材料や工具が煩雑な場合が多いため、急ぐあまりに準備機材の不足や躓き等によるケガに繋がるおそれがある。
【００１１】
本発明の目的は、縁線断線時の早期送電再開を図ることができる縁線断線復旧工法および仮復旧用バイパス工具を提供することにある。
【課題を解決するための手段】
【００１２】
本発明の縁線断線復旧工法は、第１および第２の高圧配電線（Ｌ1，Ｌ2）を接続する縁線（ＥＬ）の該第１の高圧配電線側が断線した際の復旧作業を行うための縁線断線復旧工法であって、第１の被覆貫通クランプ（１１1）を前記断線した縁線に取り付けるとともに、第２の被覆貫通クランプ（１１2）を前記第２の高圧配電線に取り付けて、該第１および第２の被覆貫通クランプが両端部にそれぞれ取り付けられたバイパス線（１２）を介して該断線した縁線と該第２の高圧配電線とを接続して仮復旧作業を行うことを特徴とする。
ここで、本復旧作業を行う際に、前記第１および第２の被覆貫通クランプを前記断線した縁線および前記第２の高圧配電線からそれぞれ取り外し、ジャンパースリーブ（ＪＳ）を介して他のバイパス線（２１）の一端部を該断線した縁線と接続するとともに、電線分岐用圧縮スリーブ（ＨＳ）を介して該他のバイパス線の他端部を該第２の高圧配電線に取り付けてもよい。
前記本復旧作業において、前記断線した縁線の前記第１の被覆貫通クランプによる切傷部分の被覆を剥ぎ取って前記ジャンパースリーブを取り付けるとともに、前記第２の高圧配電線の前記第２の被覆貫通クランプによる切傷部分の被覆を剥ぎ取って前記電線分岐用圧縮スリーブを取り付けて、前記他のバイパス線を介して該断線した縁線と該第２の高圧配電線とを接続してもよい。
本発明の仮復旧用バイパス工具は、本発明の縁線断線復旧工法に用いるための仮復旧用バイパス工具（１０）であって、バイパス線（１２）と、該バイパス線の両端部にそれぞれ取り付けられた第１および第２の被覆貫通クランプ（１１1，１１2）とを具備することを特徴とする。
【発明の効果】
【００１３】
本発明の縁線断線復旧工法および仮復旧用バイパス工具は以下の効果を奏する。
（１）両端部に被覆貫通クランプが取り付けられたバイパス線を用いて仮復旧作業を行うことにより、作業者の技術および技能レベルによって作業時間が大きく左右されることなく仮復旧作業を行えるため、縁線断線時の早期送電再開を図ることができる。
（２）必要な工具も限定されるため、準備に係る時間を短縮することができる。
（３）作業者の疲労を軽減することができる。
（４）復旧車両の機材置き場が煩雑となることを防止することができる。
【図面の簡単な説明】
【００１４】
【図１】本発明の一実施例による仮復旧用バイパス工具１０の構成およびそれを用いた縁線断線復旧工法について説明するための図である。
【図２】従来の縁線断線復旧工法について説明するための図である。
【図３】間接活線工具１１０の構成について説明するための図である。
【発明を実施するための形態】
【００１５】
上記の目的を、バイパス線の両端部に被覆貫通クランプが取り付けられた仮復旧用バイパス工具を用いて仮復旧作業を行うことによりに実現した。
【実施例１】
【００１６】
以下、本発明の縁線断線復旧工法および仮復旧用バイパス工具の実施例について図面を参照して説明する。
本発明の縁線断線復旧工法は、図１に示すようにバイパス線１２の両端部に第１および第２の被覆貫通クランプ１１1，１１2がそれぞれ取り付けられた仮復旧用バイパス工具１０を用いて仮復旧作業を行うことを特徴とする。
【００１７】
ここで、第１の被覆貫通クランプ１１1は、図３に示した被覆貫通クランプ１１４と同様に、間接活線工具１１０に取り付けて、トルクリミッタ１１２のハンドル１１２ｂを回すと絶縁操作棒１１１が回動し、第１の被覆貫通クランプ１１1の締付部が絶縁操作棒１１１の回動運動に伴って上下運動を行って、締付部の先端に設けられた開口部が開閉されるものである。
第２の被覆貫通クランプ１１2についても同様である。
【００１８】
バイパス線１２の両端部は、圧着端子を介して第１および第２の被覆貫通クランプ１１1，１１2にそれぞれ取り付けられている。
【００１９】
高圧絶縁電線（第１および第２の高圧配電線Ｌ1，Ｌ2）としては径が２５ｍｍ，５８ｍｍおよび２００ｍｍの３種類が使用されているが、主に径が２５ｍｍの高圧絶縁電線が多く断線することを考慮すると、径が２５ｍｍの高圧絶縁電線をバイパス線１２としてもよいが、径が５８ｍｍの高圧絶縁電線も断線することがあることを考慮すると、許容電流を補完する径が５８ｍｍの高圧絶縁電線をバイパス線１２とするのが好ましい。
【００２０】
また、異相間短絡や他物接触による地絡事故防止のために、バイパス線１２に建障用シートを被せてもよい。
【００２１】
次に、仮復旧用バイパス工具１０を用いた縁線断線復旧工法（本発明の一実施例による縁線断線復旧工法）について、図１（ｂ）に示すように第１および第２の高圧配電線Ｌ1，Ｌ2を接続する２本の縁線ＥＬのうち１本の縁線ＥＬの碍子Ｉよりも第１の高圧配電線Ｌ1側が強風や経年劣化等によって断線した場合を例として、図１（ｃ）〜（ｅ）を参照して説明する。
【００２２】
作業員は、仮復旧作業中の地絡事故や短絡事故を防止するために、断線箇所近傍の第１および第２の高圧配電線Ｌ1，Ｌ2や腕金等に多数の防具を取り付ける。
【００２３】
続いて、作業員は、図１（ｃ）に×印で示すように、断線した縁線ＥＬの第１の高圧配電線Ｌ1側の余分な部分を切断する。
【００２４】
続いて、作業員は、仮復旧用バイパス工具１０の第１の被覆貫通クランプ１１1を間接活線工具１１０（図３参照）の上端に取り付けたのち、間接活線工具１１０を操作して、図１（ｄ）に示すように第１の被覆貫通クランプ１１1を断線した縁線ＥＬの第１の高圧配電線Ｌ1側に取り付ける。
【００２５】
続いて、作業員は、間接活線工具１１０を操作して、第１の被覆貫通クランプ１１1を間接活線工具１１０から取り外し、第２の被覆貫通クランプ１１2を間接活線工具１１０の上端に取り付けたのち、図１（ｄ）に示すように第２の被覆貫通クランプ１１2を断線した縁線ＥＬの第２の高圧配電線Ｌ2側が接続されている第２の高圧配電線Ｌ2に取り付ける。
【００２６】
続いて、作業員は、第１および第２の被覆貫通クランプ１１1，１１2に被覆貫通クランプ保護カバーを取り付けたのち、第１および第２の高圧配電線Ｌ1，Ｌ2や腕金等に取り付けておいた多数の防具を撤去して、仮復旧作業を終了する。
【００２７】
これにより、作業員は間接活線工具１１０を操作するだけで仮復旧作業を行えるため、作業員の技術および技能レベルによって作業時間が大きく左右されることなく仮復旧作業を迅速に終了させて次の断線箇所に移動することができる。
【００２８】
なお、後日に断線箇所の本復旧作業を行う際に仮復旧用バイパス工具１０を取り外すと、断線した縁線ＥＬの第１の被覆貫通クランプ１１1の取付部分の被覆と第２の高圧配電線Ｌ2の第２の被覆貫通クランプ１１2の取付部分の被覆とに接続痕が残る。
【００２９】
しかし、本復旧作業時には、作業員は、図１（ｅ）に示すように、断線した縁線ＥＬの接続痕部分の被覆を剥ぎ取ってジャンパースリーブＪＳを取り付け、第２の高圧配電線Ｌ2の接続痕部分の被覆を剥ぎ取ってＨ型の電線分岐用圧縮スリーブＨＳを取り付けて、断線した縁線ＥＬと第２の高圧配電線Ｌ2とをバイパス線２１を介して接続する。
【００３０】
そのため、通常では被覆貫通クランプを取り外したのちには接続痕からの短絡を防ぐために絶縁性樹脂で形成された電線用カバーを高圧配電線に装着して電流の漏洩防止や雨水等の浸入抑制を行う必要がある（上記の特許文献２の段落０００２参照）が、仮復旧用バイパス工具１０を用いた本発明の縁線断線復旧工法では、このような電線用カバー取付作業を不要とすることができる。
【符号の説明】
【００３１】
１０  仮復旧用バイパス工具
１１1，１１2  第１および第２の被覆貫通クランプ
１２，２１  バイパス線
１１０  間接活線工具
１１１  絶縁操作棒
１１１ａ  限界つば
１１２  トルクリミッタ
１１２ｂ  ハンドル
１１４  被覆貫通クランプ
１１４ａ  開口部
１１４ｂ  締付部
Ｌ  高圧配電線
Ｌ1，Ｌ2  第１および第２の高圧配電線
ＥＬ  縁線
ＢＬ  バイパス線
ＪＳ  ジャンパースリーブ
ＨＳ  電線分岐用圧縮スリーブ
Ｉ  碍子
【図１】
2017225281.tif 000003
【図２】
2017225281.tif 000004
【図３】
2017225281.tif 000005